(57)【要約】【課題】少ない操作回数で、割り当てキーに割り当てられた複数の入力情報から所定の入力情報を選択可能な電子機器を提供する。【解決手段】１つのキーに対して複数の入力情報が割り当て可能な割り当てキーと、割り当てキーが継続的に押下された時間に基づいて、割り当てキーに割り当てられた複数の入力情報から所定の入力情報を選択する制御部とを備える。【選択図】図１２
2019161492.tif 000002
【特許請求の範囲】
【請求項１】
１つのキーに対して複数の入力情報が割り当て可能な割り当てキーと、
前記割り当てキーが継続的に押下された時間に基づいて、前記割り当てキーに割り当てられた複数の入力情報から所定の入力情報を選択する制御部と
を備える電子機器。
【請求項２】
表示部をさらに備え、
前記制御部は、前記割り当てキーが押下された場合に、前記割り当てキーに割り当てられた複数の入力情報に係る画像を、前記入力情報に与えられた順序に対応する配列で前記表示部に表示する
請求項１に記載の電子機器。
【請求項３】
前記表示部は、タッチ入力可能な入力部を兼ねた表示入力部であり、
前記画像は、入力ボタンを兼ねた画像である
請求項２に記載の電子機器 。
【請求項４】
前記制御部は、前記割り当てキーが継続的に押下された時間に対応して選択されている入力情報に係る画像をフォーカス表示する
請求項２または３に記載の電子機器。
【請求項５】
前記制御部は、前記割り当てキーが継続的に押下された時間に基づいて、前記複数の入力情報のいずれも選択しないことが可能であり、前記入力情報が選択されない時間において、前記フォーカス表示を解除する
請求項４に記載の電子機器。
【請求項６】
前記フォーカス表示を解除する時間は、１つの前記入力情報について前記フォーカス表示を行う時間より短い
請求項５に記載の電子機器。
【請求項７】
１つの入力情報に係る画像をフォーカス表示する時間、および/または、前記フォーカス表示を解除する時間は、任意に設定可能である
請求項５に記載の電子機器。 
【請求項８】
前記制御部は、前記割り当てキーに割り当て可能な前記入力情報が全て割り当てられていない場合、割り当てのない配列をスキップして、選択している入力情報に係る画像をフォーカス表示する
請求項４から７のいずれか１項に記載の電子機器。
【請求項９】
前記画像において、前記画像に対応する前記入力情報を識別する情報は、前記割り当てキーに記載された前記画像に対応する前記入力情報を識別する情報よりも大きく表示される
請求項２から８のいずれか１項に記載の電子機器。
【請求項１０】
１つの前記入力情報について、前記割り当てキーにおける記載と、前記画像における表記が異なる
請求項２から９のいずれか１項に記載の電子機器 。
【請求項１１】
前記割り当てキーに割り当てる入力情報は、飲食店において注文可能なメニューに関するメニュー情報である
請求項１から１０のいずれか１項に記載の電子機器。
【発明の詳細な説明】
【技術分野】
【０００１】
本発明は、電子機器に関する。
【背景技術】
【０００２】
近年、レストラン、居酒屋、カラオケ店など飲食物を提供する店舗では、スタッフが客から受けた注文をハンディターミナルと称される注文端末装置に入力し、入力された注文を注文端末装置から注文管理装置に送信する注文管理システムが提案されている（例えば特許文献１および２）。注文端末装置では、一般的に本体にタッチパネル入力部が用意され、さらに必要に応じて、押圧操作によってメニュー等が入力できる複数の割り当てキーを備えた蓋体が本体に装着可能に構成されている。この割り当てキーは、１つのキーに複数のメニューが設定可能であり、キー操作で入力できるメニューの数を増やすのに有効である。
【０００３】
飲食店では、少ないタッチ数で、かつ、多くのメニューが入力できることが要望されるため、蓋体側の割り当てキーは必須の要件になっている。通常、蓋体側の割り当てキーは、横に４〜５列で、縦には１０〜１２段程度の数が設定されている。店舗のスタッフは、客からの注文を聞いて、オーダーに応じたメニュー名のキーを押して、注文メニューを登録する。
【先行技術文献】
【特許文献】
【０００４】
【特許文献１】特許第３９９６６９０号公報
【特許文献２】特開２０１７−１６３１９０号公報
【発明の概要】
【発明が解決しようとする課題】
【０００５】
特許文献１に記載の注文端末装置では、割り当てキーがタッチされると、割り当てキーに設定された複数のメニューのキーがタッチパネル入力部に表示され、タッチパネル入力部において所望のメニューのキーをタッチして選択する。そのため、メニューの選択に２回のタッチが必要となる。
【０００６】
また、特許文献２に記載の注文端末装置では、割り当てキーに設定された複数のメニューの中から所望のメニューを選択するために、割り当てキーとは別のファンクションキー（特許文献２におけるシフトキー）が必要であり、メニューの選択に複数回のタッチが必要となる場合が生じる。
【０００７】
また、割り当てキーについて、１回押すと１番目のメニュー、連続して同じキーを押すと２番目のメニューというように、押した回数でサイクリックに切り替える方法も提案されている。しかしながら、この方式では、逆にタッチ回数が増えてしまうという問題がある。また、誤って余計にキーを押してしまったような場合には、元に戻るためにさらにキーを押して初めから繰り替えさなければならず、キー操作が多くなるという問題がある。
【０００８】
このような問題は、注文端末装置に限らず起こり得る。例えば、多くの情報から入力したい情報を選択して入力させる機能を搭載した電子機器や、入力キー等の入力部の数が少ない電子機器等で同様な問題が起こり得る。
【０００９】
本発明は上記事情に鑑みなされたものであり、少ない操作回数で、割り当てキーに割り当てられた複数の入力情報から所定の入力情報を選択可能な電子機器を提供することを目的とする。
【課題を解決するための手段】
【００１０】
本発明の電子機器は、１つのキーに対して複数の入力情報が割り当て可能な割り当てキーと、割り当てキーが継続的に押下された時間に基づいて、割り当てキーに割り当てられた複数の入力情報から所定の入力情報を選択する制御部とを備える。
【００１１】
本発明の電子機器においては、表示部をさらに備え、制御部は、割り当てキーが押下された場合に、割り当てキーに割り当てられた複数の入力情報に係る画像を、入力情報に与えられた順序に対応する配列で表示部に表示することが好ましい。
【００１２】
また、表示部は、タッチ入力可能な入力部を兼ねた表示入力部であり、画像は、入力ボタンを兼ねた画像としてもよい。
【００１３】
また、制御部は、割り当てキーが継続的に押下された時間に対応して選択されている入力情報に係る画像をフォーカス表示することが好ましい。
【００１４】
また、制御部は、割り当てキーが継続的に押下された時間に基づいて、複数の入力情報のいずれも選択しないことが可能であり、入力情報が選択されない時間において、フォーカス表示を解除することが好ましい。
【００１５】
この場合、フォーカス表示を解除する時間は、１つの入力情報についてフォーカス表示を行う時間より短くしてもよい。また、１つの入力情報に係る画像をフォーカス表示する時間、および/または、フォーカス表示を解除する時間は、任意に設定可能にしてもよい。
【００１６】
また、制御部は、割り当てキーに割り当て可能な入力情報が全て割り当てられていない場合、割り当てのない配列をスキップして、選択している入力情報に係る画像をフォーカス表示することが好ましい。
【００１７】
また、画像において、画像に対応する入力情報を識別する情報は、割り当てキーに記載された画像に対応する入力情報を識別する情報よりも大きく表示されることが好ましい。
【００１８】
また、入力情報について、割り当てキーにおける記載と、画像における表記が異なっていてもよい。
【００１９】
また、割り当てキーに割り当てる入力情報は、飲食店において注文可能なメニューに関するメニュー情報としてもよい。
【発明の効果】
【００２０】
本発明によれば、割り当てキーが継続的に押下された時間に基づいて、割り当てキーに割り当てられた複数の入力情報から所定の入力情報を選択する制御部を設けることで、使用者に対して、１回の割り当てキーの押下で、割り当てキーに割り当てられた複数の入力情報から所定の入力情報を選択させることができる。
【図面の簡単な説明】
【００２１】
【図１】本発明の一実施形態に係る注文管理システムの概略構成図
【図２】本発明の一実施形態に係る注文端末装置の外観構成を示す図
【図３】本発明の一実施形態に係る注文端末装置の蓋体が開いた状態を示す図
【図４】本発明の一実施形態に係る注文端末装置の蓋体を外した状態を示す図
【図５】本発明の一実施形態に係る注文端末装置の概略ブロック図
【図６】本発明の一実施形態に係る注文端末装置における割り当てキーの説明図
【図７】本発明の一実施形態に係る注文端末装置における割り当てキーの説明図
【図８】本発明の一実施形態に係る注文端末装置における画像表示例を示す図
【図９】本発明の一実施形態に係る注文端末装置における入力情報に係る画像の表示例を示す図
【図１０】本発明の一実施形態に係る注文端末装置における割り当てキーの説明図
【図１１】本発明の一実施形態に係る注文端末装置における入力情報に係る画像の表示例を示す図
【図１２】本発明の一実施形態に係る注文端末装置における入力情報の選択制御を示すフローチャート
【発明を実施するための形態】
【００２２】
以下、本発明の実施の形態について図面を参照しながら説明する。本実施形態では、電子機器を含むシステムの一例として、注文管理システムの例を用いて説明する。図１は、電子機器としての注文端末装置を含むシステムの一例であり、本実施形態に係る注文管理システム１の概略構成図である。図１に示すように、注文管理システム１は、注文端末装置１０−ｎ（ｎは１以上の整数）、無線中継装置２０−１〜２０−ｍ（ｍは１以上の整数）、注文管理装置４０、および伝票出力装置５０−ｏ（ｏは１以上の整数）を備えている。無線中継装置２０と注文管理装置４０とは、ネットワーク３０を介して接続されている。ここで、ネットワーク３０は、ＬＡＮ（Ｌｏｃａｌ  Ａｒｅａ  Ｎｅｔｗｏｒｋ）等の有線ネットワークである。なお、ネットワーク３０は、無線ネットワークであってもよい。
【００２３】
以下の説明において、注文端末装置１０−ｎを特定しない場合、注文端末装置１０という。無線中継装置２０−１〜２０−ｍを特定しない場合、無線中継装置２０という。伝票出力装置５０−ｏを特定しない場合、伝票出力装置５０という。
【００２４】
注文端末装置１０は、無線中継装置２０およびネットワーク３０を介して注文管理装置４０と通信を行う。注文端末装置１０は、注文管理システム１を使用する店舗のスタッフにより、各種の入力キーによって入力または選択された情報を検出し、検出した情報を無線中継装置２０およびネットワーク３０を介して注文管理装置４０へ送信する。注文端末装置１０が送信する情報は、客の人数や卓の情報、および、注文された商品番号、商品名、その数量等の情報である。無線中継装置２０は、注文端末装置１０が送信した情報を受信し、受信した情報をネットワーク３０を介して注文管理装置４０に送信する。また、無線中継装置２０は、ネットワーク３０を介して注文管理装置４０が送信した調理指示伝票情報や、会計伝票情報を受信し、受信した伝票情報を伝票出力装置５０に送信する。
【００２５】
注文管理装置４０は、無線中継装置２０およびネットワーク３０を介して、注文端末装置１０からの情報を受信する。注文管理装置４０は、受信した情報を自装置内に記憶させる。
【００２６】
伝票出力装置５０は、注文管理装置４０から受信した情報に応じて、調理を行うための調理指示伝票や、お客が支払いを行うための会計伝票を発行する。伝票出力装置５０は、例えばプリンタである。
【００２７】
図２は本発明の一実施形態に係る注文端末装置（電子機器）１０の外観構成を示す図、図３は上記注文端末装置１０の蓋体が開いた状態を示す図、図４は上記注文端末装置１０の蓋体を外した状態を示す図、図５は上記注文端末装置１０の概略ブロック図である。
【００２８】
図２および３に示すように、注文端末装置１０は、開閉自在の蓋体１２１により、本体１２０を覆う構成となっている。蓋体１２１は、内面に複数のキーを備えた拡張キー入力部１２２を備える。レストランや居酒屋でスタッフが携帯する場合には、図２に示すように、蓋体１２１は閉じられる。スタッフが客の注文を受ける際には、図３に示すように、蓋体１２１が開かれる。
【００２９】
蓋体１２１は、ヒンジ部１２１ａが本体１２０に対して着脱自在に構成されており、必要に応じて、図３に示すように、本体１２０に対して蓋体１２１を装着状態としたり、図４に示すように、本体１２０に対して蓋体１２１を非装着状態としたりできる。
【００３０】
図３に示すように、注文端末装置１０の本体１２０には、タッチパネル表示部１０７が設けられる。タッチパネル表示部１０７は、後述の表示部１０５上にタッチパネル入力部１０６を積層配置して構成される。タッチパネル表示部１０７には、各種の文字やアイコン、ボタン等が表示され、スタッフがタッチパネル表示部１０７をタッチすることで、各種の入力が行える。蓋体１２１側の拡張キー入力部１２２には、複数の割り当てキー１４１が配置されている。各割り当てキー１４１には、提供できるメニューが割り当てられている。
【００３１】
図５に示すように、注文端末装置１０は、制御部としてのＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、不揮発性メモリ１０４、表示部１０５およびタッチパネル入力部１０６から構成されるタッチパネル表示部１０７、ファンクションキー入力部１０８、通信制御部１０９、拡張キー入力部１２２を備えている。
【００３２】
ＣＰＵ１０１は、ＲＯＭ１０２が記憶する制御プログラムと、ＲＡＭ１０３及び不揮発性メモリ１０４が記憶する各種情報を読み出し、読み出した制御プログラムと各種情報とに基づいて各部の制御を行う。また、ＣＰＵ１０１は、必要な情報をＲＡＭ１０３及び不揮発性メモリ１０４に記憶させる。ＣＰＵ１０１は、バスを介して注文端末装置１０が備える各部と互いにデータの入出力が可能な状態で接続している。
【００３３】
ＲＯＭ１０２は、ＣＰＵ１０１が用いる制御プログラムを記憶する記憶領域である。ＲＡＭ１０３は、ＣＰＵ１０１が用いる情報を記憶する一時記憶領域である。不揮発性メモリ１０４は、ＣＰＵ１０１が用いる情報を記憶する記憶領域である。不揮発性メモリ１０４としては、フラッシュメモリ等が用いられる。
【００３４】
表示部１０５は、ＣＰＵ１０１の制御に応じて各種情報を表示する。表示部１０５は、例えば液晶ディスプレイ、有機ＥＬ（Ｅｌｅｃｔｒｏｌｕｍｉｎｅｓｃｅｎｃｅ）ディスプレイである。
【００３５】
タッチパネル入力部１０６は、表示部１０５上に積層配置されている。タッチパネル入力部１０６は、スタッフが押下した座標位置や動きを検出して、各種の入力を行う。また、タッチパネル入力部１０６は、押下の圧力、もしくは、静電容量の変化を検出して、キーの入力を検出することができる。
【００３６】
ファンクションキー入力部１０８は、本体１２０が備えるファンクションキーのうち、操作されたファンクションキーを検出し、検出したファンクションキーを示す情報をＣＰＵ１０１に出力する。
【００３７】
通信制御部１０９は、ＣＰＵ１０１から出力された入力情報を無線中継装置２０に送信する。また、通信制御部１０９は、無線中継装置２０から受信した信号をＣＰＵ１０１に出力する。
【００３８】
拡張キー入力部１２２は、操作された割り当てキー１４１を検出し、検出した割り当てキー１４１を示す情報をＣＰＵ１０１に出力する。
【００３９】
図６は、蓋体１２１の拡張キー入力部１２２を示すものである。図６に示すように、蓋体１２１側には、例えばメンブレン方式の複数の割り当てキー１４１が配置されている。割り当てキー１４１には、各々メニューが割り当てられている。本実施形態では、１つの割り当てキー１４１に対して、最大４つまでの複数のメニューを割り当てることができる。同一の割り当てキー１４１に割り当てられた複数のメニューは、この割り当てキー１４１を継続的に押下する時間を変えることで、選択することができる。
【００４０】
次に、割り当てキー１４１の操作について説明する。ここでは、一例として、図７に示す割り当てキー１４１ａについて説明する。図７に示すように、割り当てキー１４１ａには、１行目Ｌ１に「ポタージュスープ（ポタージュ）」、２行目Ｌ２に「ミネストローネスープ（ミネストロネ）」、３行目Ｌ３に「オニオンスープ（オニオンスープ）」、４行目Ｌ４に「クラムチャウダースープ（クラムチャウダー）」のメニュー名が（）内の略称で記載されている。すなわち、割り当てキー１４１ａには、メニューとして、「ポタージュスープ」、「ミネストローネスープ」、「オニオンスープ」、「クラムチャウダースープ」が設定されている。本実施形態では「メニュー」が入力情報に相当する。
【００４１】
図８は注文端末装置１０における画像表示例を示す図である。ここでは、割り当てキー１４１ａに割り当てられた複数の入力情報に係る画像として、入力ボタン群が表示される例を説明する。図８では、メニュー一覧画面を例に示しているが、注文端末装置１０は、この他にも、ヘッダー画面、数量入力画面、確認画面等、種々の画面を表示することができる。
【００４２】
図８に一例を示すように、割り当てキー１４１ａが押されていない状態で、割り当てキー１４１ａが押されると、図９に示すように、割り当てキー１４１ａに割り当てられた複数の入力情報に係る入力ボタン群１５０が表示される。
【００４３】
入力ボタン群１５０では、入力情報に与えられた順序に対応する配列で、上から順に、１行目の入力ボタン１５１に「ポタージュスープ」、２行目の入力ボタン１５２に「ミネストローネスープ」、３行目の入力ボタン１５３に「オニオンスープ」、４行目の入力ボタン１５４に「クラムチャウダースープ」が表示される。このメニューの順は、図７に示す割り当てキー１４１ａに記載されているメニューの１行目Ｌ１から４行目Ｌ４と同じ順である。なお、このときの入力ボタン１５１から入力ボタン１５４に表示するメニュー名は、サイズの都合上で字数制限のある割り当てキー１４１ａの記載と同じでもよいし、図９に示すように、正式名称に変更してもよい。
【００４４】
ここで、蓋体１２１側の拡張キー入力部１２２には多数の割り当てキー１４１を配置しているため、１つの割り当てキー１４１のサイズは小さくなる。サイズが小さい割り当てキー１４１の中に４行のメニューを記載すると、文字のサイズが小さくなって視認性が低下するという問題がある。
【００４５】
そのため、本実施形態の注文端末装置１０のように、割り当てキー１４１ａが押された際に、割り当てキー１４１ａに割り当てられた複数の入力情報に係る入力ボタン群１５０をタッチパネル表示部１０７に拡大表示することで、割り当てキー１４１ａに記載されている文字サイズよりもメニュー内容を大きく表示することができるため、入力情報の視認性を向上させることができる。なお、入力ボタン群１５０の表示サイズは、割り当てキー１４１ａのサイズよりも大きければ、どのようなサイズとしてもよい。
【００４６】
また、特に高齢者では小さい文字が見にくくなる傾向にあるので、入力ボタン群１５０の表示サイズは、スタッフ（使用者）に任意のサイズを設定させてもよく、このような態様とすることで、スタッフ（使用者）の視力に合わせて視認性が高い表示とすることができる。
【００４７】
割り当てキー１４１ａに割り当てられた複数のメニューは、この割り当てキー１４１ａを継続的に押下する時間を変えることで選択することができる。具体的には、割り当てキー１４１ａが押された瞬間には１行目Ｌ１の「ポタージュスープ」が選択されており、割り当てキー１４１ａが押された状態で所定時間（例えば１秒）が経過する毎に、２行目Ｌ２の「ミネストローネスープ」、３行目Ｌ３の「オニオンスープ」、４行目Ｌ４の「クラムチャウダースープ」、１行目Ｌ１の「ポタージュスープ」と選択されているメニューが順次切り替わる。そして、所望のメニューが選択された際に割り当てキー１４１ａから指を離すことで、割り当てキー１４１ａから指を離した時に選択されていたメニューが入力される。
【００４８】
このとき、パネル表示部１０７に表示されている入力ボタン群１５０では、選択されている入力情報に係る入力ボタンがフォーカス表示される。図９では、１行目の入力ボタン１５１をフォーカス表示している例を示している。図９では、フォーカス表示の例として、文字の背景色を変更した例を示しているが、フォーカスが当たっていることが分かる表示であれば、例えば文字の色や太さを変更したり、各行の入力ボタンの枠を強調表示したり、背景色と文字色を反転したりする等、どのような態様としてもよい。
【００４９】
また、割り当てキー１４１ａが継続的に押下された時間において、入力情報が選択されない時間を含むようにしてもよい。具体的には、フォーカス表示を切り替える所定時間（１つの入力情報に係る画像をフォーカス表示する時間）を例えば１秒とすると、割り当てキー１４１ａが押された瞬間から１秒までは１行目Ｌ１の「ポタージュスープ」、１秒を超えてから２秒までは２行目Ｌ２の「ミネストローネスープ」、２秒を超えてから３秒までは３行目Ｌ３の「オニオンスープ」、３秒を超えてから４秒までは４行目Ｌ４の「クラムチャウダースープ」がフォーカス表示される。そして、４秒を超えてから５秒まではフォーカス表示を解除し、５秒を超えた段階で再度１行目Ｌ１から順にフォーカス表示を切り替えればよい。なお、フォーカス表示を解除する時間は、通常よりも短くしてもよい。
【００５０】
このように、入力情報が選択されない時間を含めることで、割り当てキー１４１ａが誤って押された場合に、何も選択せずに割り当てキー１４１ａから指を離すことができるため、誤入力を防ぐことができる。さらには、蓋体１２１側の割り当てキー１４１に記載された文字が小さくて見にくい場合に、メニュー入力を行わず、確認機能として使用することができる。
【００５１】
なお、入力情報が選択されない時間（フォーカス表示を解除する時間）は、各入力ボタンにフォーカス表示を行っている時間より短い時間であることが好ましい。このような態様とすることで、フォーカス表示が次の周に移るまでの時間を短縮することができるため、効率的にメニューを選択させることができる。
【００５２】
また、１つの入力情報に係る画像をフォーカス表示する時間、および／または、フォーカス表示を解除する時間について、２週目以降は１週目よりも各々の時間を短縮するようにしてもよい。このような態様とすることで、フォーカス表示が次の周に移るまでの時間を短縮することができるため、効率的にメニューを選択させることができる。
【００５３】
また、１つの入力情報に係る画像をフォーカス表示する時間、および／または、フォーカス表示を解除する時間は、個人毎に任意に設定可能としてもよい。このような態様とすることで、操作に慣れていない新人はゆっくり切り替わるようにし、操作になれているベテランはより速い速度でフォーカスが切り替わるようにすることができ、注文端末装置１０の使い勝手を向上させることができる。
【００５４】
次に、割り当てキー１４１に割り当て可能な入力情報が全て割り当てられていない場合について説明する。ここでは、一例として、図１０に示す割り当てキー１４１ｂについて説明する。図１０に示すように、割り当てキー１４１ｂには、１行目Ｌ１に「ポタージュスープ（ポタージュ）」、２行目Ｌ２に「ミネストローネスープ（ミネストロネ）」、４行目Ｌ４に「クラムチャウダースープ（クラムチャウダー）」のメニュー名が（）内の略称で記載されており、３行目Ｌ３には何もメニューが記載されていない。すなわち、割り当てキー１４１ａには、メニューとして、「ポタージュスープ」、「ミネストローネスープ」、「クラムチャウダースープ」が設定されている。
【００５５】
図８に一例を示すように、割り当てキー１４１ｂが押されていない状態で、割り当てキー１４１ｂが押されると、図１１に示すように、割り当てキー１４１ｂに割り当てられた複数の入力情報に係る入力ボタン群１６０が表示される。
【００５６】
入力ボタン群１６０では、入力情報に与えられた順序に対応する配列で、上から順に、１行目の入力ボタン１６１に「ポタージュスープ」、２行目の入力ボタン１６２に「ミネストローネスープ」、３行目の入力ボタン１６３は空欄、４行目の入力ボタン１６４に「クラムチャウダースープ」が表示される。このメニューの順は、図１０に示す割り当てキー１４１ｂに記載されているメニューの１行目から４行目と同じ順である。
【００５７】
上記で説明した割り当てキー１４１ａと同様に、この割り当てキー１４１ｂについても、割り当てキー１４１ｂが押された状態で所定時間（例えば１秒）が経過する毎に、順次次の行のメニューが選択されるが、３行目Ｌ３には何もメニューが設定されていないため、割り当てのない配列をスキップして、選択している入力情報に係る入力ボタンをフォーカス表示することが好ましい。
【００５８】
具体的には、フォーカス表示を切り替える所定時間を例えば１秒とすると、割り当てキー１４１ｂが押された瞬間から１秒までは１行目Ｌ１の「ポタージュスープ」、１秒を超えてから２秒までは２行目Ｌ２の「ミネストローネスープ」、３行目Ｌ３には何もメニューが設定されていないためスキップし、２秒を超えてから３秒までは４行目Ｌ４の「クラムチャウダースープ」がフォーカス表示される。
【００５９】
このような態様とすることで、スタッフに不要な待ち時間を生じさせずに、効率的にメニューを選択させることができる。
【００６０】
なお、割り当てキー１４１には、メニューのほかに、分類(メニューグループ)、操作用のキーを割り付けることもでき、これらは、メニューと同じようにファンクションキーの操作によって、選択することが可能である。例えば、メニューグループを選択した場合は、本体に、そのグループのメニュー一覧が選択可能に表示される。
【００６１】
図１２は、本実施形態における入力情報の選択制御を示すフローチャートである。
【００６２】
（ステップＳ１）ＣＰＵ１０１は、割り当てキーのタッチを検出する。その後、ステップＳ２の処理に進む。
【００６３】
（ステップＳ２）ＣＰＵ１０１は、タッチされた割り当てキーに設定されているメニューの入力ボタン群（メニュー画像）を画面（タッチパネル表示部）に表示する。このとき、フォーカス表示位置は１行目に設定する。その後、ステップＳ３の処理に進む。
【００６４】
（ステップＳ３）ＣＰＵ１０１は、フォーカス表示位置において入力情報（メニュー）が割り当てられているか判定する。フォーカス表示位置において入力情報が割り当てられていないと判定した場合（ステップＳ３：Ｎｏ）、ＣＰＵ１０１は、ステップＳ４の処理に進む。
【００６５】
（ステップＳ４）ＣＰＵ１０１は、メニューのフォーカス表示位置を次の行に移動する。その後、ステップＳ３の処理に戻る。
【００６６】
一方、ステップＳ３において、フォーカス表示位置における入力情報が割り当てられていると判定した場合（ステップＳ３：Ｙｅｓ）、ＣＰＵ１０１は、ステップＳ５の処理に進む。
【００６７】
（ステップＳ５）ＣＰＵ１０１は、割り当てキーがタッチアップされたか判定する。割り当てキーがタッチアップされたと判定した場合（ステップＳ５：Ｙｅｓ）、ＣＰＵ１０１は、ステップＳ６の処理に進む。
【００６８】
（ステップＳ６）ＣＰＵ１０１は、表示されているメニュー画像においてフォーカスされている行がない（フォーカス表示位置＝０行）か判定する。フォーカスされている行がないと判定した場合（ステップＳ６：Ｙｅｓ）、ＣＰＵ１０１は、ステップＳ７の処理に進む。
【００６９】
（ステップＳ７）ＣＰＵ１０１は、メニュー画像の表示を消去する。その後、ステップＳ１の処理に戻る。
【００７０】
一方、ステップＳ６において、フォーカスされている行があると判定した場合（ステップＳ６：Ｎｏ）、ＣＰＵ１０１は、ステップＳ８の処理に進む。
【００７１】
（ステップＳ８）ＣＰＵ１０１は、フォーカス表示位置のメニューを選択されたメニューとして入力する処理を行う。その後、ステップＳ１の処理に戻る。
【００７２】
ステップＳ５において、割り当てキーがタッチアップされていないと判定した場合（ステップＳ５：Ｎｏ）、ＣＰＵ１０１は、ステップＳ９の処理に進む。
【００７３】
（ステップＳ９）ＣＰＵ１０１は、割り当てキーがタッチされてから所定の設定時間が経過したか判定する。ここで、設定時間は、通常値と、通常時より短い短縮値があり、デフォルトでは通常値が設定されている。設定時間が経過していないと判定した場合（ステップＳ９：Ｎｏ）、ＣＰＵ１０１は、ステップＳ５の処理に戻り、設定時間が経過したと判定した場合（ステップＳ９：Ｙｅｓ）、ＣＰＵ１０１は、ステップＳ１０の処理に進む。
【００７４】
（ステップＳ１０）ＣＰＵ１０１は、メニュー画面においてフォーカス表示位置が４行目（本実施形態における最後の行）か判定する。フォーカス表示位置が４行目であると判定した場合（ステップＳ１０：Ｙｅｓ）、ＣＰＵ１０１は、ステップＳ１１の処理に進む。
【００７５】
（ステップＳ１１）ＣＰＵ１０１は、ステップＳ９における所定の設定時間を短縮値に変更する処理を行う。その後、ステップＳ１２の処理に進む。
【００７６】
（ステップＳ１２）ＣＰＵ１０１は、メニュー画面においてフォーカスを外す（フォーカス表示位置＝０行にする）処理を行う。その後、ステップＳ５の処理に戻る。
【００７７】
一方、ステップＳ１０において、フォーカス表示位置が４行目ではないと判定した場合（ステップＳ１０：Ｎｏ）、ＣＰＵ１０１は、ステップＳ１３の処理に進む。
【００７８】
（ステップＳ１３）ＣＰＵ１０１は、ステップＳ９における所定の設定時間を通常値に変更する処理を行う。その後、ステップＳ１４の処理に進む。
【００７９】
（ステップＳ１４）ＣＰＵ１０１は、メニュー画面のフォーカス表示位置を次の行に移動する。その後、ステップＳ３の処理に戻る。
【００８０】
本実施形態によれば、割り当てキー１４１が押下された時間に基づいて、割り当てキー１４１に割り当てられた複数の入力情報から所定の入力情報を選択するように制御することで、スタッフ（使用者）に対して、１回の割り当てキー１４１の押下で、割り当てキー１４１に割り当てられた複数の入力情報から所定の入力情報を選択させることができる。
【００８１】
また、蓋体１２１側の拡張キー入力部１２２に設けられた割り当てキー１４１について、割り当てキー１４１に割り当てられた複数の入力情報から所定の入力情報を選択する場合に、割り当てキー１４１単独で所定の入力情報を選択することができる。
【００８２】
そのため、本体１２０のタッチパネル表示部１０７に、割り当てキー１４１に割り当てられた複数の入力情報から所定の入力情報を選択するためのファンクションキーを表示する必要がなく、その分、タッチパネル表示部１０７においてメニュー一覧表示等の必要な情報を表示する領域を拡大することができる。
【００８３】
さらに、蓋体１２１側の割り当てキー１４１だけでキー操作が完結するので、本体１２０から蓋体１２１を取り外して本体１２０単体で使用する場合でも、タッチパネル表示部１０７におけるキー表示等に影響を与えないため、注文端末装置１０の仕様を簡素化することができる。
【００８４】
なお、注文管理システム１を構成する注文端末装置１０、無線中継装置２０、注文管理装置４０、および伝票出力装置５０のハードウェアの構成は特に限定されるものではなく、複数のＩＣ（Ｉｎｔｅｇｒａｔｅｄ  Ｃｉｒｃｕｉｔ）、プロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、およびメモリなどを適宜組み合わせることによって実現することができる。
【００８５】
また、注文管理システム１の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００８６】
また、「コンピュータシステム」は、ＷＷＷシステムを利用している場合であれば、ホームページ提供環境（あるいは表示環境）も含むものとする。
【００８７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００８８】
以上、本発明の実施形態について図面を参照して詳述してきたが、具体的な構成は上記実施形態に限られるものではなく、この発明の要旨を逸脱しない範囲で設計変更を行った場合でも、上記実施形態と同様の効果を得ることができる。
【００８９】
例えば、割り当てキーが押され、本体のタッチパネル表示部にメニューの入力ボタンを表示した際に、入力ボタンをタッチして割り当てキーに割り当てられた複数の入力情報から所定の入力情報を直接選択できるようにしてもよい。
【００９０】
また、割り当てキーに割り当て可能な入力情報の数は、４つに限らず、複数であればいくつでもよい。
【００９１】
また、割り当てキーが押されたときにタッチパネル表示部に表示される画像（入力ボタン）について、上記実施形態のように入力情報（メニュー）を文字で表示する態様に限らず、イラストや記号等で表示してもよい。また、入力情報の配列は、縦または横の１次元状の配列に限らず、２次元状に配列してもよい。
【００９２】
また、上記実施形態では、蓋体側の拡張キー入力部があり、そこに複数の割り当てキーが配置されている例を示したが、例えば本体のタッチパネル表示部に割り当てキーを配置し、その割り当てキーを押下する時間の長さによって、割り当てキーに割り当てられた複数の入力情報から所定の入力情報を選択し入力するようにすることもできる。
【００９３】
上記以外にも、この発明の要旨を逸脱しない範囲で、設計変更を行ってもよい。
【符号の説明】
【００９４】
１     注文管理システム
１０   注文端末装置
２０   無線中継装置
３０   ネットワーク
４０   注文管理装置
５０   伝票出力装置
１０１ ＣＰＵ
１０２ ＲＯＭ
１０３ ＲＡＭ
１０４ 不揮発性メモリ
１０５ 表示部
１０６ タッチパネル入力部
１０７ タッチパネル表示部
１０８ ファンクションキー入力部
１０９ 通信制御部
１２０ 本体
１２０ａ      装着部
１２１ 蓋体
１２１ａ      ヒンジ部
１２２ 拡張キー入力部
１４１ 割り当てキー
１４１ａ      割り当てキー
１４１ｂ      割り当てキー
１５０ 入力ボタン群
１５１ 入力ボタン
１５２ 入力ボタン
１５３ 入力ボタン
１５４ 入力ボタン
１６０ 入力ボタン群
１６１ 入力ボタン
１６２ 入力ボタン
１６３ 入力ボタン
１６４ 入力ボタン
【図１】
2019161492.tif 000003
【図２】
2019161492.tif 000004
【図３】
2019161492.tif 000005
【図４】
2019161492.tif 000006
【図５】
2019161492.tif 000007
【図６】
2019161492.tif 000008
【図７】
2019161492.tif 000009
【図８】
2019161492.tif 000010
【図９】
2019161492.tif 000011
【図１０】
2019161492.tif 000012
【図１１】
2019161492.tif 000013
【図１２】
2019161492.tif 000014